(57)【要約】      （修正有）【課題】水が残り難いシンプルな構造の入浴用眼鏡及び入浴用眼鏡のフロント部を提供する。【解決手段】入浴用眼鏡のフロント部２０は全体が透明な合成樹脂で一体成形される。フロント部は第一レンズ部２１と第二レンズ部２４とブリッジ部２７と第一ヨロイ部２８と第二ヨロイ部２９と第一鼻当て部３０と第二鼻当て部３１を備える。第一レンズ部は使用者の左眼に対応し、第二レンズ部は使用者の右眼に対応する。第一レンズ部と第二レンズ部には表面に防曇膜が形成されている。ブリッジ部は第一レンズ部と第二レンズ部を接続する。第一ヨロイ部はフロント部の左側端部に設けられる。第二ヨロイ部はフロント部の右側端部に設けられる。第一鼻当て部は左右方向において第一レンズ部のブリッジ部の側に設けられ、第二鼻当て部は左右方向において第二レンズ部のブリッジ部の側に設けられる。第一鼻当て部と第二鼻当て部は使用者の鼻の側に突出する。【選択図】図１
0003191873.tif 000002
【実用新案登録請求の範囲】
【請求項１】
全体が透明な合成樹脂で一体成形されたフロント部と、
前記フロント部の左側端部に連結される、全体が合成樹脂で一体成形された第一テンプルと、
前記フロント部の右側端部に連結される、全体が合成樹脂で一体成形された第二テンプルと、を備え、
前記フロント部は、
表面に防曇膜が形成された使用者の左眼に対応する第一レンズ部と、
表面に防曇膜が形成された前記使用者の右眼に対応する第二レンズ部と、
前記第一レンズ部と前記第二レンズ部とを接続するブリッジ部と、
前記フロント部の左側端部に設けられる第一ヨロイ部と、
前記フロント部の右側端部に設けられる第二ヨロイ部と、
左右方向において前記第一レンズ部の前記ブリッジ部の側に設けられ、前記使用者の鼻の側に突出する第一鼻当て部と、
左右方向において前記第二レンズ部の前記ブリッジ部の側に設けられ、前記使用者の鼻の側に突出する第二鼻当て部と、を備える、入浴用眼鏡。
【請求項２】
前記フロント部には表面全体に防曇膜が形成されている、請求項１に記載の入浴用眼鏡。
【請求項３】
金属製の部材を備えない、請求項１又は請求項２に記載の入浴用眼鏡。
【請求項４】
表面に防曇膜が形成された使用者の左眼に対応する第一レンズ部と、
表面に防曇膜が形成された前記使用者の右眼に対応する第二レンズ部と、
前記第一レンズ部と前記第二レンズ部とを接続するブリッジ部と、
左右方向において前記第一レンズ部の前記ブリッジ部の側に設けられ、前記使用者の鼻の側に突出する第一鼻当て部と、
左右方向において前記第二レンズ部の前記ブリッジ部の側に設けられ、前記使用者の鼻の側に突出する第二鼻当て部と、を備え、
前記第一レンズ部と前記第二レンズ部と前記ブリッジ部と前記第一鼻当て部と前記第二鼻当て部とは、透明な合成樹脂で一体成形されている、入浴用眼鏡のフロント部。
【請求項５】
前記フロント部には表面全体に防曇膜が形成されている、請求項４に記載の入浴用眼鏡のフロント部。
【考案の詳細な説明】
【技術分野】
【０００１】
本考案は、防曇性を有する入浴用眼鏡と、入浴用眼鏡のフロント部に関する。
【背景技術】
【０００２】
入浴用眼鏡に関する技術が提案されている。例えば、特許文献１には、入浴用防曇メガネが開示されている。この入浴用防曇メガネは、防曇レンズと、フロント枠と、一対のテンプルを含む。フロント枠において防曇レンズは左右リムに装着される。フロント枠とテンプルは、ヒンジ連結部も含めて全てプラスチック材料から構成される。テンプルの前端側には、窓部とヒンジ軸が設けられる。ヒンジ軸は、窓部中央を縦方向に設けられる。フロント枠の両側には、筒型の軸受け部が設けられる。軸受け部は、後側にヒンジ軸を挿入するためのスリット状の開口部を備える。ヒンジ軸は、軸受け部の一部が窓部内に入り込むように、軸受け部に装着される。この他、特許文献１には、テンプルの前端側に、窓部と、突起状のヒンジ軸を設けた構成が開示されている。この構成において、ヒンジ軸は、窓部の上下から突き出す。フロント枠の両側には、筒型の軸受け部が設けられる。軸受け部には、上下面の一部にヒンジ軸を挿入するためのテーパ面が形成される。ヒンジ軸は、軸受け部の一部が窓部内に入り込むように、軸受け部に装着される。
【０００３】
眼鏡レンズの防曇性に関する技術が提案されている。例えば、特許文献２には、防曇性光学物品及びその製造方法が開示されている。特許文献３には、光学物品に防曇性能を付与する方法及び防曇性光学物品が開示されている。非特許文献１，２には、防曇性を有する眼鏡用のレンズが開示されている。
【先行技術文献】
【特許文献】
【０００４】
【特許文献１】実用新案登録第３１８７６１７号公報
【特許文献２】特開２００５−８４１０６号公報
【特許文献３】特開２００１−１９４５０３号公報
【非特許文献】
【０００５】
【非特許文献１】セイコーオプティカルプロダクツ株式会社ホームページ、"くもり防止コート"、［online］、［平成26年3月18日検索］、インターネット＜URL：http://www.seiko-opt.co.jp/eyeinformation/lens/lens05/＞
【非特許文献２】東海光学株式会社ホームページ、"FOGGY ガードコート（防曇コート）"、［online］、［平成26年3月18日検索］、インターネット＜URL：http://www.tokaiopt.jp/et/eyecare08.php＞
【考案の概要】
【考案が解決しようとする課題】
【０００６】
眼鏡を着用している者が眼鏡を外して入浴すると、外界が見え難くなる。そこで、考案者は、入浴時に簡易に着用できる入浴用眼鏡について検討を行った。その際、考案者は、入浴後に濡れた眼鏡を拭き取る等して乾燥させることができる構造について検討を行った。
【０００７】
本考案は、水が残り難いシンプルな構造の入浴用眼鏡及び入浴用眼鏡のフロント部を提供することを目的とする。
【課題を解決するための手段】
【０００８】
本考案の一側面は、全体が透明な合成樹脂で一体成形されたフロント部と、前記フロント部の左側端部に連結される、全体が合成樹脂で一体成形された第一テンプルと、前記フロント部の右側端部に連結される、全体が合成樹脂で一体成形された第二テンプルと、を備え、前記フロント部は、表面に防曇膜が形成された使用者の左眼に対応する第一レンズ部と、表面に防曇膜が形成された前記使用者の右眼に対応する第二レンズ部と、前記第一レンズ部と前記第二レンズ部とを接続するブリッジ部と、前記フロント部の左側端部に設けられる第一ヨロイ部と、前記フロント部の右側端部に設けられる第二ヨロイ部と、左右方向において前記第一レンズ部の前記ブリッジ部の側に設けられ、前記使用者の鼻の側に突出する第一鼻当て部と、左右方向において前記第二レンズ部の前記ブリッジ部の側に設けられ、前記使用者の鼻の側に突出する第二鼻当て部と、を備える、入浴用眼鏡である。
【０００９】
これによれば、隙間のない一体形状のフロント部とすることができる。例えば、左右のリムに左右のレンズをそれぞれ嵌め込む場合、リムとレンズの間に隙間が生じ、生じた隙間に水が入り込むことが考えられる。隙間に入り込んだ水をスムーズに拭き取ることは困難である。全体が透明な合成樹脂で一体成形されたフロント部では、前述したような隙間がないため、隙間に水が入り込むこともない。入浴後に使用者の顔の正面に置かれるフロント部をスムーズに乾燥させることができる。「入浴」は、広く解釈される。例えば、入浴は、温湯浴と蒸気浴とサウナ浴を含む。「透明」は、無色透明又は有色透明を意味する。
【００１０】
この入浴用眼鏡において、前記フロント部には表面全体に防曇膜が形成されている、ようにしてもよい。これによれば、フロント部の全体に防曇性（親水性）を付与することができる。フロント部の全体で曇りの発生を防止することができる。入浴時に良好な視界を確保することができる。
【００１１】
この入浴用眼鏡は、金属製の部材を備えない、ようにしてもよい。これによれば、入浴用眼鏡の耐食性を向上させることができる。金属製の部材を含まないため、金属製の部材が腐食するといったことがない。
【００１２】
本考案の他の側面は、表面に防曇膜が形成された使用者の左眼に対応する第一レンズ部と、表面に防曇膜が形成された前記使用者の右眼に対応する第二レンズ部と、前記第一レンズ部と前記第二レンズ部とを接続するブリッジ部と、左右方向において前記第一レンズ部の前記ブリッジ部の側に設けられ、前記使用者の鼻の側に突出する第一鼻当て部と、左右方向において前記第二レンズ部の前記ブリッジ部の側に設けられ、前記使用者の鼻の側に突出する第二鼻当て部と、を備え、前記第一レンズ部と前記第二レンズ部と前記ブリッジ部と前記第一鼻当て部と前記第二鼻当て部とは、透明な合成樹脂で一体成形されている、入浴用眼鏡のフロント部である。
【００１３】
これによれば、隙間のない一体形状のフロント部とすることができる。例えば、左右のリムに左右のレンズをそれぞれ嵌め込む場合、リムとレンズの間に隙間が生じ、生じた隙間に水が入り込むことが考えられる。隙間に入り込んだ水をスムーズに拭き取ることは困難である。全体が透明な合成樹脂で一体成形されたフロント部では、前述したような隙間がないため、隙間に水が入り込むこともない。入浴後に使用者の顔の正面に置かれるフロント部をスムーズに乾燥させることができる。「入浴」及び「透明」の意味は上記同様である。
【００１４】
前記フロント部には表面全体に防曇膜が形成されている、ようにしてもよい。これによれば、フロント部の全体に防曇性（親水性）を付与することができる。フロント部の全体で曇りの発生を防止することができる。入浴時に良好な視界を確保することができる。
【考案の効果】
【００１５】
本考案によれば、水が残り難いシンプルな構造の入浴用眼鏡及び入浴用眼鏡のフロント部を得ることができる。
【図面の簡単な説明】
【００１６】
【図１】入浴用眼鏡の一例を示す正面図である。
【図２】図１に示す入浴用眼鏡の平面図である。上段は、第一テンプルと第二テンプルが開かれた状態を示す。下段は、第一テンプルと第二テンプルが閉じられた状態を示す。
【図３】図１に示す入浴用眼鏡の側面図である。
【図４】入浴用眼鏡の他の例を示す正面図である。
【考案を実施するための形態】
【００１７】
本考案を実施するための実施形態について、図面を用いて説明する。本考案は、以下に記載の構成に限定されるものではなく、同一の技術的思想において種々の構成を採用することができる。例えば、以下に示す構成の一部は、省略し又は他の構成等に置換してもよい。他の構成を含むようにしてもよい。
【００１８】
＜入浴用眼鏡＞
入浴用眼鏡１０について、図１〜図３を参照して説明する。実施形態における、「左右」及び「上下」は、入浴用眼鏡１０を着用した使用者を基準としたものである。入浴用眼鏡１０は、入浴時に着用される。実施形態において、入浴は、例えば、温湯浴と蒸気浴とサウナ浴を含む。但し、入浴用眼鏡１０は、各種の場面で利用することができる。即ち、入浴用眼鏡１０は、入浴時以外に着用し利用することもできる。
【００１９】
入浴用眼鏡１０は、全てが合成樹脂（プラスチック）によって形成される。換言すれば、入浴用眼鏡１０は、金属製の部材を含まない。入浴用眼鏡１０は、フロント部２０と、第一テンプル４０と、第二テンプル５０を備える。入浴用眼鏡１０は、これら各部を組み立てて形成される。
【００２０】
フロント部２０は、入浴用眼鏡１０が着用された状態で、使用者の顔の正面に配置される。フロント部２０は、全体が透明な合成樹脂で一体成形された樹脂成形品である。フロント部２０を形成する合成樹脂としては、公知のプラスチックレンズを形成する樹脂が挙げられる。フロント部２０には表面全体に防曇膜が形成されている。公知のプラスチックレンズの中には、防曇膜が形成されているものが存在する。フロント部２０における防曇膜は、このような公知のプラスチックレンズと同様の方法で形成される。
【００２１】
フロント部２０は、第一レンズ部２１と、第二レンズ部２４と、ブリッジ部２７と、第一ヨロイ部２８と、第二ヨロイ部２９と、第一鼻当て部３０と、第二鼻当て部３１を備える。
【００２２】
第一レンズ部２１は、使用者の左眼に対応するレンズであり、レンズ本体部２２を含む。第二レンズ部２４は、使用者の右眼に対応するレンズであり、レンズ本体部２５を含む。レンズ本体部２２，２５は、所定のレンズ度数のレンズである。レンズ度数（単位：ジオプトリー）は、近視の場合にはマイナス度数となり、遠視の場合にはプラス度数となる。
【００２３】
実施形態では、第一レンズ部２１は第一リム状部２３を含み、第二レンズ部２４は第二リム状部２６を含む。第一リム状部２３は、レンズ本体部２２の外周でレンズ本体部２２と一体をなす環状の部分である。第二リム状部２６は、レンズ本体部２５の外周でレンズ本体部２５と一体をなす環状の部分である。第一リム状部２３と第二リム状部２６は、入浴用眼鏡１０の全体デザインを考慮して形成された構成である。第一リム状部２３と第二リム状部２６を形成することで、入浴用眼鏡１０を、リムを有し左右のレンズがリムにそれぞれ装着された眼鏡と同様の印象とすることができる。
【００２４】
ブリッジ部２７は、第一レンズ部２１と第二レンズ部２４を接続する。即ち、ブリッジ部２７は、左右方向の左側が第一リム状部２３に繋がり、左右方向の右側が第二リム状部２６に繋がる（図１及び図２参照）。第一ヨロイ部２８は、フロント部２０の左側端部に設けられる。第二ヨロイ部２９は、フロント部２０の右側端部に設けられる。
【００２５】
第一鼻当て部３０は、第一レンズ部２１のブリッジ部２７の側に設けられる。第一レンズ部２１のブリッジ部２７の側は、左右方向において第一ヨロイ部２８と反対側である。第一鼻当て部３０は、使用者の鼻の側に突出する。第一鼻当て部３０は、入浴用眼鏡１０が着用された状態で、使用者の鼻の左側部分に接する。第二鼻当て部３１は、第二レンズ部２４のブリッジ部２７の側に設けられる。第二レンズ部２４のブリッジ部２７の側は、左右方向において第二ヨロイ部２９と反対側である。第二鼻当て部３１は、使用者の鼻の側に突出する。第二鼻当て部３１は、入浴用眼鏡１０が着用された状態で、使用者の鼻の右側部分に接する。
【００２６】
第一テンプル４０は、全体が合成樹脂で一体成形された樹脂成形品である。第一テンプル４０は、フロント部２０の左側端部でフロント部２０と連結される。第二テンプル５０は、全体が合成樹脂で一体成形された樹脂成形品である。第二テンプル５０は、フロント部２０の右側端部でフロント部２０と連結される。第一テンプル４０と第二テンプル５０を形成する合成樹脂としては、公知の眼鏡のテンプルを形成する樹脂が挙げられる。第一テンプル４０と第二テンプル５０を形成する合成樹脂は、透明又は不透明の何れとすることもできる。透明又は不透明の何れとするかは、例えば、入浴用眼鏡１０のデザインを考慮して適宜決定される。入浴用眼鏡１０は、通常の眼鏡と同様、第一鼻当て部３０と第二鼻当て部３１と第一テンプル４０と第二テンプル５０によって使用者の頭部に支持される。
【００２７】
入浴用眼鏡１０は、上述した各部の他、第一蝶番６０と、第二蝶番７０を備える。第一テンプル４０は、第一蝶番６０によりフロント部２０に対して所定の範囲を回転自在となる（図２参照）。第二テンプル５０は、第二蝶番７０によりフロント部２０に対して所定の範囲を回転自在となる（図２参照）。使用者は、例えば入浴用眼鏡１０を着用しない場合、公知の眼鏡と同様、第一テンプル４０と第二テンプル５０を折り畳み閉じることができる（図２下段参照）。
【００２８】
第一蝶番６０は、第一連結部３２と、第二連結部４１と、第一ねじ６１を組み立てて形成される。金属製の部材を含まない入浴用眼鏡１０では、第一連結部３２と第二連結部４１と第一ねじ６１は、何れも合成樹脂によって形成される。即ち、第一連結部３２は、フロント部２０の成型時、第一ヨロイ部２８の部分に一体成形される。第二連結部４１は、第一テンプル４０の成型時、フロント部２０の側となる第一テンプル４０の端部に一体成形される。第一ねじ６１は、樹脂製のねじとされる。第一ねじ６１は、第一連結部３２と第二連結部４１のそれぞれに形成された上下方向の貫通穴に差し込まれる。第一ねじ６１は、フロント部２０に対して第一テンプル４０を回転させる際の回転軸となる。
【００２９】
第二蝶番７０は、第三連結部３３と、第四連結部５１と、第二ねじ７１を組み立てて形成される。金属製の部材を含まない入浴用眼鏡１０では、第一蝶番６０と同様、第三連結部３３と第四連結部５１と第二ねじ７１は、何れも合成樹脂によって形成される。即ち、第三連結部３３は、フロント部２０の成型時、第二ヨロイ部２９の部分に一体成形される。第四連結部５１は、第二テンプル５０の成型時、フロント部２０の側となる第二テンプル５０の端部に一体成形される。第二ねじ７１は、樹脂製のねじとされる。第二ねじ７１は、第三連結部３３と第四連結部５１のそれぞれに形成された上下方向の貫通穴に差し込まれる。第二ねじ７１は、フロント部２０に対して第二テンプル５０を回転させる際の回転軸となる。
【００３０】
蝶番は、公知の眼鏡においても採用される構成である。第一蝶番６０と第二蝶番７０に関し、上述した点以外の構成は、公知の眼鏡の蝶番と同様とされる。従って、第一蝶番６０と第二蝶番７０に関するこの他の説明は省略する。
【００３１】
＜実施形態の効果＞
実施形態によれば、次のような効果を得ることができる。
【００３２】
（１）全体が透明な合成樹脂により一体成形されたフロント部２０を備える入浴用眼鏡１０とした（図１〜図３参照）。フロント部２０は、第一レンズ部２１と、第二レンズ部２４と、ブリッジ部２７と、第一ヨロイ部２８と、第二ヨロイ部２９と、第一鼻当て部３０と、第二鼻当て部３１を備える。そのため、隙間のない一体形状のフロント部２０とすることができる。例えば、左右のリムに左右のレンズをそれぞれ嵌め込む場合、リムとレンズの間に隙間が生じ、生じた隙間に水が入り込むことが考えられる。隙間に入り込んだ水をスムーズに拭き取ることは困難である。全体が透明な合成樹脂で一体成形されたフロント部２０では、前述したような隙間がないため、隙間に水が入り込むこともない。入浴後に使用者の顔の正面に置かれるフロント部２０をスムーズに乾燥させることができる。
【００３３】
（２）フロント部２０の表面全体に防曇膜を形成することとした。そのため、フロント部２０の全体に防曇性（親水性）を付与することができる。フロント部２０の全体で曇りの発生を防止することができる。入浴時に良好な視界を確保することができる。
【００３４】
（３）入浴用眼鏡１０を構成する、フロント部２０と第一テンプル４０と第二テンプル５０を全て合成樹脂製とし、入浴用眼鏡１０が金属製の部材を備えないこととした。そのため、入浴用眼鏡１０の耐食性を向上させることができる。金属製の部材を含まないため、金属製の部材が腐食するといったことがない。
【００３５】
＜変形例＞
実施形態は、次のようにすることもできる。以下に示す変形例のうちの幾つかの構成は、適宜組み合わせて採用することもできる。以下では上記とは異なる点を説明することとし、同様の点についての説明は適宜省略する。
【００３６】
（１）上記では、表面全体に防曇膜が形成されたフロント部２０を備える入浴用眼鏡１０を例に説明した。フロント部２０において防曇膜は、フロント部２０の一部に形成するようにしてもよい。この場合、防曇膜は、フロント部２０のうち、少なくとも、第一レンズ部２１と第二レンズ部２４（レンズ本体部２２，２５）に形成される。入浴時に第一レンズ部２１と第二レンズ部２４が曇ることを抑制することができる。
【００３７】
（２）上記では、フロント部２０と第一テンプル４０の連結が第一蝶番６０によって行われ、フロント部２０と第二テンプル５０の連結が第二蝶番７０によって行われた入浴用眼鏡１０を例に説明した。フロント部と第一テンプル４０の連結は、図２に示すように、フロント部に対して、第一テンプル４０を開閉自在とすることができる構造によって行われればよい。フロント部と第二テンプル５０の連結は、図２に示すように、フロント部に対して、第二テンプル５０を開閉自在とすることができる構造によって行われればよい。何れの連結構造とするかは、諸条件を考慮して適宜決定される。
【００３８】
（３）上記では、レンズ本体部２２の外周に第一リム状部２３を設けた第一レンズ部２１と、レンズ本体部２５の外周に第二リム状部２６を設けた第二レンズ部２４を備えるフロント部２０を例に説明した（図１参照）。第一レンズ部２１において、第一リム状部２３は省略するようにしてもよい。第二レンズ部２４において、第二リム状部２６は省略するようにしてもよい。即ち、入浴用眼鏡１０においてフロント部２０は、図４に示すような形態とするようにしてもよい。図４では、図１〜図３に示す入浴用眼鏡１０との対応を明らかにするため、入浴用眼鏡に対する符号「１０」を含め、同一の構成には同一の符号を付している。図４は、図１と同様、第一テンプル４０と第二テンプル５０が開かれた状態（図２上段参照）の入浴用眼鏡１０の正面図である。
【００３９】
図４に示すフロント部２０において、第一レンズ部２１はレンズ本体部２２によって構成され、第二レンズ部２４はレンズ本体部２５によって構成される。ブリッジ部２７では、左右方向の両側部分が上下方向を下側に延在する。第一鼻当て部３０は、左右方向の左側で下側に延在するブリッジ部２７の部分に、使用者の鼻の側に突出した状態で形成される。第二鼻当て部３１は、左右方向の右側で下側に延在するブリッジ部２７の部分に、使用者の鼻の側に突出した状態で形成される。図４に示すフロント部２０によれば、入浴用眼鏡１０を、リムレス眼鏡と同様の印象とすることができる。
【００４０】
（４）上記では、第一ヨロイ部２８と第二ヨロイ部２９を備えるフロント部２０を例に説明した（図１及び図２参照）。第一ヨロイ部２８と第二ヨロイ部２９が省略されたフロント部としてもよい。例えば、ブリッジ部に使用者の顔面を左右方向に横断する棒状の部材が取り付けられる。フロント部は、この棒状の部材に吊り下げられた状態とされる。使用者の顔面を左右方向に横断する棒状の部材は、更に、使用者の顔の側面を左右の耳に届く位置まで延ばされる。この場合、使用者の顔の側面を左右の耳の位置まで延びた棒状の部材の各部分は、それぞれ左右のテンプルとして機能する。顔面から左右の各側面に至る各コーナ部にテンプルの開閉機構を設けるようにしてもよい。テンプルの開閉機構としては、例えば、上述した蝶番が挙げられる。
【００４１】
（５）上記では、全てが合成樹脂（プラスチック）によって形成された入浴用眼鏡１０を例に説明した。入浴用眼鏡では、例えば、表面に露出せず、利用時に使用者に直接触れない部分に金属製の部材を用いるようにしてもよい。例えば、第一テンプルと第二テンプルは、公知の樹脂製のテンプルと同様、内部に金属製の芯材を含むようにしてもよい。
【符号の説明】
【００４２】
１０  入浴用眼鏡、  ２０  フロント部
２１  第一レンズ部、  ２２  レンズ本体部、  ２３  第一リム状部
２４  第二レンズ部、  ２５  レンズ本体部、  ２５  第二リム状部
２７  ブリッジ部、  ２８  第一ヨロイ部、  ２９  第二ヨロイ部
３０  第一鼻当て部、  ３１  第二鼻当て部
３２  第一連結部、  ３３  第三連結部
４０  第一テンプル、  ４１  第二連結部
５０  第二テンプル、  ５１  第四連結部
６０  第一蝶番、  ６１  第一ねじ
７０  第二蝶番、  ７１  第二ねじ
【図１】
0003191873.tif 000003
【図２】
0003191873.tif 000004
【図３】
0003191873.tif 000005
【図４】
0003191873.tif 000006